(57)【要約】【課題】目詰まりが生じることなく適度な噴射量及び噴射範囲が得られ、制汗、防臭効果が高く、実用上充分な使用性が安定して得られる液状エアゾール型制汗剤製品及びエアゾール用押釦を提供する。【解決手段】噴射容量が０．０５〜０．３ｃｃ／回の範囲とされる定量噴射バルブ４と、制汗成分と、リン酸系界面活性剤と、エタノール及び／又は水とを含む液状組成物８が内部に充填される容器本体３とを具備するエアゾール容器２と、定量噴射バルブ４に取り付けられるエアゾール用押釦１を具備し、エアゾール用押釦１は、ステムの導出口に連通して液状組成物８を流通させる流通路と、流通路に連通して液状組成物８を外部に噴出させる導出路とが押釦本体の内部に設けられてなり、導出路の流路長Ｌが０．５〜１５．０ｍｍの範囲とされるとともに、流路径Ｄが０．５〜１．５ｍｍの範囲とされ、流路長Ｌと流路径Ｄの比Ｌ／Ｄが０．４〜１５．０の範囲とされている。【選択図】図３
2009000353.tif 000002
【特許請求の範囲】
【請求項１】
噴射容量が０．０５〜０．３ｃｃ／回の範囲とされ、一端側が導出口とされたステムが備えられる定量噴射バルブと、少なくとも、制汗成分と、リン酸系界面活性剤と、エタノール及び／又は水とを含む液状組成物が内部に充填される容器本体とを具備するエアゾール容器と、該エアゾール容器に対して前記ステムの一端側に接続するように取り付けられるエアゾール用押釦を具備してなる液状エアゾール型制汗剤製品であって、
前記エアゾール用押釦は、前記ステムの導出口に連通して前記液状組成物を流通させる流通路と、該流通路に連通して前記液状組成物を外部に噴出させる導出路とが押釦本体の内部に設けられてなり、
前記導出路は、前記流通路に接続される導入口から、前記液状組成物を外部へ噴出させる噴口までの流路長Ｌが０．５〜１５．０ｍｍの範囲とされるとともに、流路径Ｄが０．５〜１．５ｍｍの範囲とされ、なお且つ、前記流路長Ｌと流路径Ｄの比Ｌ／Ｄが０．４〜１５．０の範囲とされていることを特徴とする液状エアゾール型制汗剤製品。
【請求項２】
噴射容量が０．０５〜０．３ｃｃ／回の範囲とされ、一端側が導出口とされたステムが備えられる定量噴射バルブと、少なくとも、制汗成分と、リン酸系界面活性剤と、エタノール及び／又は水とを含む液状組成物が内部に充填される容器本体とを具備するエアゾール容器と、該エアゾール容器に対して前記ステムの一端側に接続するように取り付けられるエアゾール用押釦を具備してなる液状エアゾール型制汗剤製品であって、
前記エアゾール用押釦は、前記ステムの導出口に連通して前記液状組成物を流通させる流通路が設けられるとともに、該流通路に連通して前記液状組成物を外部に噴出させる導出路が内部に設けられた押釦本体と、前記導出路の噴口に取り付けられ、該噴口に連通される噴射流路を有する噴口部材とからなり、
前記噴口部材の噴射流路の流路径Ｄ２と前記導出路の流路径Ｄ１との関係が、Ｄ１≦Ｄ２とされており、
前記導出路の流路長Ｌ１と前記噴射流路の流路長Ｌ２とを併せた総流路長Ｌ３が０．５〜１５．０ｍｍの範囲とされ、なお且つ、前記総流路長Ｌ３と前記導出路の流路径Ｄ１の比Ｌ３／Ｄ１が０．４〜１５．０の範囲とされていることを特徴とする液状エアゾール型制汗剤製品。
【請求項３】
前記制汗成分が、クロルヒドロキシアルミニウム（ＡＣＨ）、及び／又は、クロルヒドロキシアルミニウム・プロピレングリコールであることを特徴とする請求項１又は２に記載の液状エアゾール型制汗剤製品。
【請求項４】
噴射容量が０．０５〜０．３ｃｃ／回の範囲とされ、一端側が導出口とされたステムが備えられる定量噴射バルブと、少なくとも、制汗成分と、リン酸系界面活性剤と、エタノール及び／又は水とを含む液状組成物が内部に充填される容器本体とを具備するエアゾール容器に対し、前記ステムの一端側に接続するように取り付けられるエアゾール用押釦であって、
前記ステムの導出口に連通して前記液状組成物を流通させる流通路と、該流通路に連通して前記液状組成物を外部に噴出させる導出路とが押釦本体の内部に設けられてなり、
前記導出路は、前記流通路に接続される導入口から、前記液状組成物を外部へ噴出させる噴口までの流路長Ｌが０．５〜１５．０ｍｍの範囲とされるとともに、流路径Ｄが０．５〜１．５ｍｍの範囲とされ、なお且つ、前記流路長Ｌと流路径Ｄの比Ｌ／Ｄが０．４〜１５．０の範囲とされていることを特徴とするエアゾール用押釦。
【請求項５】
噴射容量が０．０５〜０．３ｃｃ／回の範囲とされ、一端側が導出口とされたステムが備えられる定量噴射バルブと、少なくとも、制汗成分と、リン酸系界面活性剤と、エタノール及び／又は水とを含む液状組成物が内部に充填される容器本体とを具備するエアゾール容器に対し、前記ステムの一端側に接続するように取り付けられるエアゾール用押釦であって、
前記ステムの導出口に連通して前記液状組成物を流通させる流通路が設けられるとともに、該流通路に連通して前記液状組成物を外部に噴出させる導出路が内部に設けられた押釦本体と、前記導出路の噴口に取り付けられ、該噴口に連通される噴射流路を有する噴口部材とが備えられ、
前記噴口部材の噴射流路の流路径Ｄ２と前記導出路の流路径Ｄ１との関係が、Ｄ１≦Ｄ２とされており、
前記導出路の流路長Ｌ１と前記噴射流路の流路長Ｌ２とを併せた総流路長Ｌ３が０．５〜１５．０ｍｍの範囲とされ、なお且つ、前記総流路長Ｌ３と前記導出路の流路径Ｄ１の比Ｌ３／Ｄ１が０．４〜１５．０の範囲とされていることを特徴とするエアゾール用押釦。
【発明の詳細な説明】
【技術分野】
【０００１】
本発明は、液状エアゾール型制汗剤製品及びエアゾール用押釦に関し、特に、制汗、防臭効果が高い制汗成分が可溶化されてなる液状組成物を噴射する液状エアゾール型制汗剤製品及びエアゾール用押釦に関する。
【背景技術】
【０００２】
一般に、制汗成分が水及び／又はエタノールに可溶化されてなる組成物は、皮膚に塗布した際に、組成物中に含有される水あるいはエタノールが揮発して皮膚上に皮膜を形成することにより、高い制汗、防臭効果が得られる。
また、このような制汗成分を可溶化してなる組成物を、エアゾール容器に充填してエアゾール製剤とし、使用者が皮膚、例えば腋の下等に向けて噴射する使用形態とすることにより、高い使用性を得ることができる。
【０００３】
しかしながら、上述のような制汗成分は、皮膚の表面に皮膜を形成して制汗効果を発揮するものであるため、このような組成物をエアゾール容器に充填してエアゾール製剤とした場合、バルブに設けられたハウジング孔やステム孔等において組成物が析出することにより、詰まりが発生しやすいという問題がある。
【０００４】
上述のような制汗剤としては、例えば、特許文献１に記載のような、制汗成分としてクロルヒドロキシアルミニウム（ＡＣＨ）が含有されてなる制汗剤がある。また、組成物がエアゾール容器に充填されたエアゾール製剤として、例えば、特許文献２〜６に記載されたものがある。しかしながら、特許文献２〜６に記載されたようなエアゾール容器に、特許文献１に記載されたようなクロルヒドロキシアルミニウム（ＡＣＨ）を可溶化した組成物を充填して用いた場合、組成物が乾燥した際に皮膜を形成するため、ハウジング孔やステム孔等の目詰まりを起こしやすいとう問題がある。
【０００５】
また、特許文献７には、制汗成分、水、及び噴射剤を含有するエアゾール型制汗剤組成物に、さらにポリオキシエチレンポリオキシプロピレンアルキルエーテルリン酸を含有してなる組成物が記載されている。特許文献８に記載のエアゾール型制汗剤組成物は、前記ポリオキシエチレンポリオキシプロピレンアルキルエーテルリン酸を含有することで可溶化力が向上され、制汗成分等が澱として析出することが無く、安定して皮膚への噴射を行なうことができるというものである。
【０００６】
しかしながら、特許文献７に記載のエアゾール型制汗剤組成物も、前記ＡＣＨを可溶化した組成であるため、上述したように、皮膚表面において乾燥した際に皮膜を形成する性質がある。このため、エアゾール容器に備えられたバルブのハウジング孔やステム孔に皮膜が形成され、目詰まりを起こしてしまうという問題がある。
【０００７】
上述のようなエアゾール製剤の詰まりの問題を解決する方法として、例えば、エアゾール容器に備えられるバルブのベーパータップ孔やアンダータップ孔、ステム孔等の形状や寸法を最適化することにより、皮膜形成による目詰まりを抑制することが考えられる。
しかしながら、エアゾール容器に備えられる上記バルブの各孔を最適化したとしても、上記組成のエアゾール製剤を、汗滲みや臭いがより気になりやすい腋の下への使用に特化した場合には、衣服を着たまま噴霧する等、制限された動作環境下で使用する際の塗布量の調整が難しいため、所望の量を大きく上回る量の組成物が皮膚に付着したり、液垂れが生じる等の問題がある。
【０００８】
そこで、上述のような制汗成分を含有する組成物を、使用者の皮膚に対して適度な範囲で一定量付着させることを目的として、定量噴射バルブを用いる技術が提案されている（例えば、特許文献８〜１０）。特許文献８〜１０に記載の定量噴射バルブをエアゾール容器に用いることにより、上述のような、制限された動作環境下で使用した場合でも、皮膚への組成物の塗布量を一定とすることができ、また、液垂れ等が生じるのを抑制することが可能となる。
しかしながら、特許文献８〜１０に記載の定量噴射バルブをエアゾール容器に用いた場合でも、定量噴射バルブに設けられた各孔等において組成物が析出することにより、詰まりが発生しやすいという問題があった。
【特許文献１】特開２０００−２２９８２６号公報
【特許文献２】特開２００２−３０９２４１号公報
【特許文献３】特開平６−３１７５４１号公報
【特許文献４】特開平１１−２２８９４３号公報
【特許文献５】特開平１１−７１２６４号公報
【特許文献６】特開平１０−５７８４９号公報
【特許文献７】特開２００２−３３５６号公報
【特許文献８】特開平１１−３４９９３３号公報
【特許文献９】特表２００５−５２９１４９号公報
【特許文献１０】特開２００１−１１４３６０号公報
【発明の開示】
【発明が解決しようとする課題】
【０００９】
本発明は上記問題に鑑みてなされたものであり、目詰まりが生じることなく、適度な噴射量及び噴射範囲が得られ、制汗、防臭効果が高く、実用上充分な使用性が安定して得られる液状エアゾール型制汗剤製品及びエアゾール用押釦を提供することを目的とする。
【課題を解決するための手段】
【００１０】
本発明者等は、上記課題を改善するために鋭意検討したところ、定量噴射バルブが備えられ、制汗成分を可溶化した組成物が充填されるエアゾール容器に取り付けられるエアゾール用押釦に関し、該エアゾール用押釦に備えられる噴射部材の導出路の長さや径を適正な範囲に規定することにより、制汗成分の皮膜による目詰まりが防止できることを見出し、本発明を完成した。
【００１１】
本発明は、噴射容量が０．０５〜０．３ｃｃ／回の範囲とされ、一端側が導出口とされたステムが備えられる定量噴射バルブと、少なくとも、制汗成分と、リン酸系界面活性剤と、エタノール及び／又は水とを含む液状組成物が内部に充填される容器本体とを具備するエアゾール容器と、該エアゾール容器に対して前記ステムの一端側に接続するように取り付けられるエアゾール用押釦を具備してなる液状エアゾール型制汗剤製品であって、前記エアゾール用押釦は、前記ステムの導出口に連通して前記液状組成物を流通させる流通路と、該流通路に連通して前記液状組成物を外部に噴出させる導出路とが押釦本体の内部に設けられてなり、前記導出路は、前記流通路に接続される導入口から、前記液状組成物を外部へ噴出させる噴口までの流路長Ｌが０．５〜１５．０ｍｍの範囲とされるとともに、流路径Ｄが０．５〜１．５ｍｍの範囲とされ、なお且つ、前記流路長Ｌと流路径Ｄの比Ｌ／Ｄが０．４〜１５．０の範囲とされていることを特徴とする液状エアゾール型制汗剤製品を提供する。
【００１２】
本発明は、噴射容量が０．０５〜０．３ｃｃ／回の範囲とされ、一端側が導出口とされたステムが備えられる定量噴射バルブと、少なくとも、制汗成分と、リン酸系界面活性剤と、エタノール及び／又は水とを含む液状組成物が内部に充填される容器本体とを具備するエアゾール容器と、該エアゾール容器に対して前記ステムの一端側に接続するように取り付けられるエアゾール用押釦を具備してなる液状エアゾール型制汗剤製品であって、前記エアゾール用押釦は、前記ステムの導出口に連通して前記液状組成物を流通させる流通路が設けられるとともに、該流通路に連通して前記液状組成物を外部に噴出させる導出路が内部に設けられた押釦本体と、前記導出路の噴口に取り付けられ、該噴口に連通される噴射流路を有する噴口部材とからなり、前記噴口部材の噴射流路の流路径Ｄ２と前記導出路の流路径Ｄ１との関係が、Ｄ１≦Ｄ２とされており、前記導出路の流路長Ｌ１と前記噴射流路の流路長Ｌ２とを併せた総流路長Ｌ３が０．５〜１５．０ｍｍの範囲とされ、なお且つ、前記総流路長Ｌ３と前記導出路の流路径Ｄ１の比Ｌ３／Ｄ１が０．４〜１５．０の範囲とされていることを特徴とする液状エアゾール型制汗剤製品を提供する。
【００１３】
また、本発明の液状エアゾール型制汗剤製品は、前記制汗成分が、クロルヒドロキシアルミニウム（ＡＣＨ）、及び／又は、クロルヒドロキシアルミニウム・プロピレングリコールである構成とすることができる。
【００１４】
本発明は、噴射容量が０．０５〜０．３ｃｃ／回の範囲とされ、一端側が導出口とされたステムが備えられる定量噴射バルブと、少なくとも、制汗成分と、リン酸系界面活性剤と、エタノール及び／又は水とを含む液状組成物が内部に充填される容器本体とを具備するエアゾール容器に対し、前記ステムの一端側に接続するように取り付けられるエアゾール用押釦であって、前記ステムの導出口に連通して前記液状組成物を流通させる流通路と、該流通路に連通して前記液状組成物を外部に噴出させる導出路とが押釦本体の内部に設けられてなり、前記導出路は、前記流通路に接続される導入口から、前記液状組成物を外部へ噴出させる噴口までの流路長Ｌが０．５〜１５．０ｍｍの範囲とされるとともに、流路径Ｄが０．５〜１．５ｍｍの範囲とされ、なお且つ、前記流路長Ｌと流路径Ｄの比Ｌ／Ｄが０．４〜１５．０の範囲とされていることを特徴とするエアゾール用押釦を提供する。
【００１５】
本発明は、噴射容量が０．０５〜０．３ｃｃ／回の範囲とされ、一端側が導出口とされたステムが備えられる定量噴射バルブと、少なくとも、制汗成分と、リン酸系界面活性剤と、エタノール及び／又は水とを含む液状組成物が内部に充填される容器本体とを具備するエアゾール容器に対し、前記ステムの一端側に接続するように取り付けられるエアゾール用押釦であって、前記ステムの導出口に連通して前記液状組成物を流通させる流通路が設けられるとともに、該流通路に連通して前記液状組成物を外部に噴出させる導出路が内部に設けられた押釦本体と、前記導出路の噴口に取り付けられ、該噴口に連通される噴射流路を有する噴口部材とが備えられ、前記噴口部材の噴射流路の流路径Ｄ２と前記導出路の流路径Ｄ１との関係が、Ｄ１≦Ｄ２とされており、前記導出路の流路長Ｌ１と前記噴射流路の流路長Ｌ２とを併せた総流路長Ｌ３が０．５〜１５．０ｍｍの範囲とされ、なお且つ、前記総流路長Ｌ３と前記導出路の流路径Ｄ１の比Ｌ３／Ｄ１が０．４〜１５．０の範囲とされていることを特徴とするエアゾール用押釦を提供する。
【発明の効果】
【００１６】
本発明の液状エアゾール型制汗剤製品によれば、定量噴射バルブと、少なくとも、制汗成分と、リン酸系界面活性剤と、エタノール及び／又は水とを含む液状組成物が内部に充填される容器本体とを具備するエアゾール容器と、該エアゾール容器に対してステムの一端側に接続するように取り付けられるエアゾール用押釦を具備してなり、該エアゾール用押釦は、噴射部材の導出路が、押釦本体内の流通路に接続される導入口から、液状組成物を外部へ噴出させる噴口までの流路長Ｌが０．５〜１５．０ｍｍの範囲とされ、且つ、導出路の流路長Ｌと流路径Ｄの比Ｌ／Ｄが０．４〜１５．０の範囲とされているので、目詰まりが生じることなく、適度な噴射量及び噴射範囲が得られ、制汗、防臭効果が高く、実用上充分な使用性が安定して得られる。
また、本発明のエアゾール用押釦によれば、押釦本体に設けられる導出路が、押釦本体内の流通路に接続される導入口から、液状組成物を外部へ噴出させる噴口までの流路長Ｌが０．５〜１５．０ｍｍの範囲とされ、且つ、導出路の流路長Ｌと流路径Ｄの比Ｌ／Ｄが０．４〜１５．０の範囲とされているので、目詰まりが生じることなく、適度な噴射量及び噴射範囲が得られるエアゾール用押釦が実現できる。
【発明を実施するための最良の形態】
【００１７】
以下、本発明に係る液状エアゾール型制汗剤製品及びエアゾール用押釦の一実施形態について、図１〜４を適宜参照しながら説明する。
本実施形態の液状エアゾール型制汗剤製品１０は、噴射容量が０．０５〜０．３ｃｃ／回の範囲とされ、一端側が導出口４１ａとされたステム４１が備えられる定量噴射バルブ４と、少なくとも、制汗成分と、リン酸系界面活性剤と、エタノール及び／又は水とを含む液状組成物８が内部に充填される容器本体３とを具備するエアゾール容器２と、該エアゾール容器２に対してステム４１の一端側（導出口４１ａ側）に接続するように取り付けられるエアゾール用押釦１を具備してなり、概略構成されている。
【００１８】
また、本実施形態のエアゾール用押釦１は、ステム４１の導出口４１ａに連通して液状組成物８を流通させる流通路１２と、該流通路１２に連通して液状組成物８を外部に噴出させる導出路１６とが押釦本体１１の内部に設けられてなり、導出路１６は、流通路１２に接続される導入口１６ａから、液状組成物８を外部へ噴出させる噴口１６ｂまでの流路長Ｌが０．５〜１５．０ｍｍの範囲とされるとともに、流路径Ｄが０．５〜１．５ｍｍの範囲とされ、なお且つ、流路長Ｌと流路径Ｄの比Ｌ／Ｄが０．４〜１５．０の範囲とされている。
【００１９】
（エアゾール容器）
図３（図２も参照）は、本実施形態の液状エアゾール型制汗剤製品１０に備えられ、エアゾール用押釦１が取り付けられるエアゾール容器２の構造を説明する図である。本実施形態のエアゾール容器２は、図３に示すように、有底筒状の容器本体３の上部に定量噴射バルブ４が備えられてなる。また、詳細な図示を省略するが、本実施形態のエアゾール容器２（容器本体３）は、略円筒状に形成されている。
【００２０】
容器本体３は、制汗成分が可溶化されてなるとともに、リン酸系界面活性剤を含む液状組成物８を内部に収容する容器であり、図示例では細長筒状に形成されている。
容器本体３は、使用者が液状エアゾール型制汗剤製品１０を使用する際の把持部としても機能することから、図示例のような細長筒状とし、持ち易く、且つ、操作しやすい略円筒形状とすることが好ましいが、この形状には限定されず、使用性を考慮しながら適宜決定することができる。
【００２１】
定量噴射バルブ４は、上述したように、エアゾール容器２の上部に備えられており、ステム４１、樹脂リング４２、ステムラバー４３、ハウジング４４、パイプ４５の各々を有している。また、図２に示すように、定量噴射バルブ４には、容器本体３の上部（図２の上方向）に定量噴射バルブ４を取り付けるための、カップ状のマウンテンカップ４６が備えられている。
本実施形態の定量噴射バルブ４は、エアゾール容器２に充填された液状組成物８を外部へ噴射するための噴射バルブである。
【００２２】
ステム４１は、パイプ状に形成され、エアゾール用押釦１を押下げて操作した際に共に押下げられ、後述する噴射動作によってエアゾール用押釦１（墳口１６ｂ）に向けて液状組成物８を噴射製剤として送り込むものである。
ステム４１は、内部に噴射剤が通過する流路４１ｂを有し、ステム４１の外周面から流路４１ｂに連通するように、ステム孔４１ｃが形成されており、図２に示す例ではステム孔４１ｃが２箇所に形成されているが、ステム孔４１ｃは、少なくとも１又は２個形成されていれば良い。ステム孔４１ｃの形成数は１個でも良いが、２個であるほうが、例えば、一方のステム孔４１ｃにおいて制汗成分が可溶化された液状組成物８が乾燥した状態となっても、液状組成物８は他方のステム孔４１ｃを通過することができ、詰まりが発生するのを最大限、抑制することができる点からより好ましい。
【００２３】
また、ステム孔４１ｃの内径は、０．３〜０．６ｍｍの範囲であることが好ましい。ステム孔４１ｃの内径がこの範囲であれば、ステム孔４１ｃにおいて液状組成物８が乾燥した状態となっても、詰まりが発生するのを抑制することができる。
ステム孔４１ｃの内径が０．３ｍｍ未満だと、液状組成物８が乾燥した際に詰まりが発生しやすくなる虞がある。また、ステム孔４１ｃの内径が０．６ｍｍを超えると、液状組成物８の噴射量が多くなり過ぎる虞がある。
【００２４】
樹脂リング４２及びステムラバー４３は、図２に示すように、ステム４１の周囲を囲むようにして設けられている。
ステムラバー４３は、図２に示すような待機位置においては、ステム４１外周面のステム孔４１ｃを塞ぐように配置されており、詳細な図示を省略するが、エアゾール用押釦１を押下げるのに伴ってステム４１が降下した際に、ステム孔４１ｃと上下方向（図２の上下方向）にずれて離れることにより、ステム４１内部の流路４１ｂと後述のハウジング４４内部とが連通するように構成されている。
【００２５】
ハウジング４４は、図２に示すように、マウンテンカップ４６に嵌め込まれるように取り付けられ、ステム４１の下部に接続されており、また、ハウジング４４内部には、エアゾール用押釦１及びステム４１が押下げられた際に、該エアゾール用押釦１及びステム４１を上方（図２の上方向）に上げ戻すためのスプリング４４ｂが備えられている。
【００２６】
パイプ４５は、上端部４５ａ側が、ハウジング４４下部（図２の下方向）のブッシュ４４ａの下部と連通するように取り付けられるパイプであり、ハウジング４４の内部とエアゾール容器２内の液相部とを連通させるように配され、図３に示す例のように、パイプ４５の下端部４５ｂが容器本体３の底部付近に配された構成とすることにより、正立状態で使用した際に、エアゾール容器２内に収容された液状組成物８を、効率良くブッシュ４４ａに導くことが可能となる。
【００２７】
また、本実施形態で用いられる定量噴射バルブ４の、定量室４４ｃの容量、つまり、１プッシュあたりの噴射量は０．０５〜０．３ｃｃの範囲とし、好ましくは０．１〜０．２５ｃｃ、より好ましくは０．１〜０．２ｃｃの範囲とする。
１プッシュあたりの噴射量が０．０５ｃｃ未満だと、皮膚への液状組成物の付着量が少ないために噴霧（プッシュ）回数が増大し、使用性が低下してしまう。
１プッシュあたりの噴射量が０．３ｃｃを超えると、皮膚への液状組成物の付着量が多過ぎ、液垂れが生じる虞があり、使用性が低下してしまう。
【００２８】
（エアゾール用押釦）
本実施形態のエアゾール用押釦１は、上述したように、定量噴射バルブ４に備えられるステム４１の上部（導出口４１ａ側）に接続するように取り付けられ、ステム４１の導出口４１ａに連通して液状組成物８を流通させる流通路１２と、該流通路１２に連通して液状組成物８を外部に噴出させる導出路１６とが押釦本体１１の内部に設けられてなる。
また、本実施形態のエアゾール用押釦１は、導出路１６が、流通路１２に接続される導入口１６ａから、液状組成物８を外部へ噴出させる噴口１６ｂまでの流路長Ｌが０．５〜１５．０ｍｍの範囲とされるとともに、流路径Ｄが０．５〜１．５ｍｍの範囲とされ、なお且つ、流路長Ｌと流路径Ｄの比Ｌ／Ｄが０．４〜１５．０の範囲とされている。
【００２９】
図１（図２及び３も参照）に示す例のエアゾール用押釦１は、液状組成物８が噴射製剤として外部に向けて噴射される墳口１６ａが側面に設けられている。エアゾール用押釦１は、使用者が、図２に示す状態からエアゾール用押釦１を押下げる操作を行うことにより、定量噴射バルブ４の操作部として機能する。また、本実施形態のエアゾール用押釦１は、図３に示すように、エアゾール容器２（容器本体３）の上部から突出するように取り付けられる。
【００３０】
押釦本体１１は、上述した定量噴射バルブ４に備えられるステム４１に取り付けられることにより、該ステム４１の流路４１ｂと連通する流通路１２が設けられている。また、押釦本体１１には、ステム４１の一端側（導出口４１ａ側）に嵌め込むことにより、エアゾール用押釦１を定量噴射バルブ４に取り付けるための嵌合部１８が設けられている。また、押釦本体１１の上部はヘッド部１１ａとされ、本実施形態のエアゾール用押釦１が備えられる液状エアゾール制汗剤１０を使用する際、使用者が指で押圧する操作部として機能する。また、図１に示すように、押釦本体１１は、導出路１６の導入口１６ａが流通路１２と連通して設けられ、また、導出路１６の出口側となる噴口１６ｂが、エアゾール用押釦１の外部へ向けて開口するように構成される。
【００３１】
本実施形態のエアゾール用押釦１を構成する押釦本体１１の材質としては、例えば、高密度ポリエチレンやポリアセタール樹脂等の樹脂材料を用いることができるが、これには限定されず、強度や耐薬品性等を勘案しながら、適宜採用することができる。
また、本実施形態のエアゾール用押釦１は、内部に流通路１２及び導出路１６が設けられた押釦本体１１によって一体に構成されているが、これには限定されず、例えば、図４に示す例のエアゾール用押釦５のように、噴口５６ｂに噴口部材５３が別部材として取り付けられてなる構成とすることもできる。図示例の噴口部材５３は、噴射流路５３ｂを有し、一端側がフランジ形状とされた筒状部材として構成されており、押釦本体５１の取付部５７に嵌め込まれるように取り付けられている。
【００３２】
導出路１６の流路長Ｌ、つまり、押釦本体１１内部の流通路１２に接続される導入孔１６ａから噴口までの長さは、０．５〜１５．０ｍｍの範囲とされていることが好ましく、１．０〜１２．０ｍｍの範囲がより好ましく、４．０〜１０．０ｍｍの範囲とされていることが最も好ましい。
導出路１６の流路長Ｌが０．５ｍｍ未満だと、噴口１６ｂからの液状組成物８の噴射範囲が広くなり過ぎて皮膚への付着性が低下し、制汗及び防臭効果が低下する。
導出路１６の流路長Ｌが１５．０ｍｍを超えると、噴口１６ｂからの液状組成物８の噴射範囲が狭くなり、液状組成物８が集中して皮膚に付着するので、使用者が刺激等を感じる虞がある。
【００３３】
導出路１６の流路径Ｄは、０．５〜１．５ｍｍの範囲とされていることが好ましく、０．８〜１．３ｍｍの範囲がより好ましく、０．９〜１．２ｍｍの範囲とされていることが最も好ましい。
導出路１６の流路径Ｄが０．５ｍｍ未満だと、液状組成物８が内部通路１６内において乾燥した際、皮膜形成によって目詰まりを起こし易くなる。
導出路１６の流路径Ｄが１．５ｍｍを超えると、液状組成物８が霧化されにくいために噴射異常が生じ易く、皮膚に均一に付着させるのが困難となり、制汗及び防臭効果が低下する。
【００３４】
本実施形態では、上述した導出路１６の流路長Ｌ及び流路径Ｄの規定に加え、なお且つ、流路長Ｌと流路径Ｄの比Ｌ／Ｄが０．４〜１５．０の範囲とされていることが好ましく、１．０〜１４．０の範囲がより好ましく、４．０〜１３．０の範囲とされていることが最も好ましい。
流路長Ｌと流路径Ｄの比Ｌ／Ｄが０．４未満だと、流路長Ｌよりも流路径Ｄが大きくなり過ぎ、液状組成物８が広範囲に飛散する等の噴霧異常が生じ、使用性が低下する。
流路長Ｌと流路径Ｄの比Ｌ／Ｄが１５．０を超えると、流路長Ｌよりも流路径Ｄが小さくなり過ぎ、液状組成物８が内部通路１６内において乾燥した際、皮膜形成によって目詰まりを起こし易くなる。
【００３５】
また、図４に示す例のようなエアゾール用押釦５の場合には、噴口部材５３の噴射流路５３ｂの流路径Ｄ２と導出路５６の流路径Ｄ１との関係をＤ１≦Ｄ２で表される関係とし、また、導出路５６の流路長Ｌ１と噴射流路５３ｂの流路長Ｌ２とを併せた総流路長Ｌ３が０．５〜１５．０ｍｍの範囲とされ、なお且つ、前記総流路長Ｌ３と導出路５６の流路径Ｄ１の比Ｌ３／Ｄ１が０．４〜１５．０の範囲とされていることが好ましい。このような構成とすることにより、図１（及び図２）に示すようなエアゾール用押釦１と同様の効果が得られる。
なお、本実施形態のエアゾール用押釦５では、上記噴口部材５３の噴射流路５３ｂの流路径Ｄ２と導出路５６の流路径Ｄ１との関係をＤ１≦Ｄ２で表される関係とし、外部への噴出部である噴射流路５３ｂを導出路５６よりも大径に構成することで、より優れた噴射特性が得られる。
【００３６】
以上説明したような、本実施形態のエアゾール用押釦１によれば、導出路１６が、押釦本体１１内の流通路１２に接続される導入口１６ａから、液状組成物８を外部へ噴出させる噴口１６ｂまでの流路長Ｌが０．５〜１５．０ｍｍの範囲とされ、且つ、導出路１６の流路長Ｌと流路径Ｄの比Ｌ／Ｄが０．４〜１５．０の範囲とされているので、目詰まりが生じることなく、適度な噴射量及び噴射範囲が得られるエアゾール用押釦が実現できる。
【００３７】
なお、図１に示すエアゾール用押釦１の導出路１６や、図４に示すエアゾール用押釦５の導出路５６、及び、噴口部材５３に設けられる噴射流路５３ｂの各々の形状としては、特に制限されず種々の形状を採用することができるが、図示例のような、流路長方向で均一な流路径として形成されたストレート形状の導出路とすることが、各種噴霧異常を抑制することが可能な点から好ましい。
また、押釦本体１１（又は押釦本体５１）に設けられる流通路１２（又は流通路５２）の孔径としては、導出路１６（又は導出路５６及び噴射流路５３ｂ）の流路径Ｄ（又は流路径Ｄ１）よりも大きなサイズとすることが好ましい。
【００３８】
（液状エアゾール型制汗剤製品の噴射形態）
以下、本発明の液状エアゾール型制汗剤製品１０を使用する際の噴射動作について、液状エアゾール型制汗剤製品１０を、図３に示すような正立噴射で使用する形態を例に、図２も参照しながら説明する。
【００３９】
まず、使用者が指等でヘッド部１１aを押圧してエアゾール用押釦１を押し下げると、ステム４１が押し下げられ、ステム孔４１ｃが樹脂リング４２及びステムラバー４３から離れることにより、ステム４１の流路４１ｂとハウジング４４内部の定量室４４ｃとが連通する。この際、定量室４４ｃ内には、詳細を後述するが、前の噴射動作の際に容器本体３内から取り込まれた液状組成物８が一定量収容されている。また、この際、ステム４１の下端部４１ｄが、ハウジング４４内に備えられるカップゴム４４ｄに接触し、該カップゴム４４ｄに形成された流通孔４４ｅを塞ぐように配される。
そして、定量室４４ｃに収容された一定量の液状組成物８が、ステム孔４１ｃを通じてステム４１の流路４１ｂに導入され、さらに、流路４１ｂからエアゾール用押釦１の流通路１２を介して導出路１６内に導かれる。導出路１６に導入された液状組成物８は、定量噴射バルブ４のステム４１からの噴出圧力により、導出路１６内を流通しつつ霧化され、噴口１６ｂから外部へ向けて噴射され、使用者の皮膚に塗布される。
【００４０】
そして、上述のような操作による一定量の液状組成物８の噴射動作が行われた後、使用者がエアゾール用押釦１から指を離すと、ハウジング４４内に設けられたスプリング４４ｂによってステム４１及びエアゾール用押釦１が押し上げられ、定量噴射バルブ４は、図２に示すような待機状態に戻る。
この際、ステム４１の下端部４１ｄが、ステム４１全体の上昇に伴ってカップゴム４４ｄから離れ、流通孔４４ｅが開の状態となり、また、液状組成物８が、パイプ４５を介してエアゾール容器２（容器本体３）内の液相部からハウジング４４の定量室４４ｃに導入される。このようにして定量室４４ｃに取り込まれた液状組成物８は、液状エアゾール型制汗剤製品１０の次回使用時に、上述と同様の操作によって外部に噴出される。
【００４１】
本発明に係る液状エアゾール型制汗剤製品は、エアゾール容器２に定量噴射バルブ４が備えられ、該定量噴射バルブ４に上述のエアゾール用押釦１が取り付けられてなる構成とすることにより、特に、制汗成分として、乾燥時に皮膜を形成しやすいクロルヒドロキシアルミニウム（ＡＣＨ）が可溶化されたものを液状組成物８として用い、該液状組成物８をエアゾール容器２に充填して使用した場合であっても、詰まり等が発生するのを効果的に抑制することができる。
【００４２】
（液状組成物）
本発明に係る液状エアゾール型制汗剤製品の組成物に用いられる制汗成分は、特に限定はされないが、例えば、アルミニウム化合物、ジルコニウム化合物、亜鉛化合物などの制汗剤物質が挙げられる。具体的には、クロルヒドロキシアルミニウム（ＡＣＨ）、塩化アルミニウム、硫酸アルミニウム、アラントインクロルヒドロキシアルミニウム、水酸化アルミニウム、乳酸アルミニウム、ケイ酸アルミニウムマグネシウム、酸化アルミニウム、無水ケイ酸アルミニウム、ブロムヒドロキシアルミニウム、フェノールスルホン酸アルミニウム、クロルヒドロキシアルミニウムジルコニウム等が挙げられる。また、前記アルミニウム化合物と、ポリエチレングリコール、プロピレングリコールもしくはグリシンとの塩が挙げられる。このなかで好ましいのは、クロルヒドロキシアルミニウム、及び／又は、クロルヒドロキシアルミニウム・プロピレングリコールである。
その他、制汗成分として、クロルヒドロキシジルコニウム、硫酸亜鉛、フェノールスルホン酸亜鉛等が挙げられる。
制汗成分は、上記の内、１種を単独、又は２種以上を組み合わせて用いることができる。
また、同じ種類の制汗成分であっても、市販品においては、各種のグレードがあり、一つのグレードを単独使用しても良く、複数のグレードを併用しても良い。
【００４３】
制汗成分の配合量は、原液中（液状エアゾール型制汗剤製品の液状組成物において、噴射剤を除いたものであり、以下同様）において、０．０５〜５０質量％の範囲が好ましく、より好ましくは１．０〜２５質量％の範囲である。０．０５質量％未満では充分な制汗効果を発揮しにくい。また、５０質量％以上では安定配合することが難しく、塗布時に皮膚上での白化も引き起こしやすくなり、使用感も低下する。
【００４４】
上記制汗成分は、極性の溶媒に溶けやすい塩であるため、製剤化の際には適当な極性溶媒を添加して可溶化することにより、制汗効果が向上する。その際の極性溶媒としては、水、低級アルコール、ポリオール類などが挙げられるが、これらの内、水、エタノール、イソプロピルアルコールを用いることが、使用感が良く安全性も高いことから好ましい。
これらの極性溶媒の配合量としては、０．１質量％以上であることが好ましい。０．１質量％未満では、制汗有効成分を充分に溶解し、安定配合することが困難となる。
【００４５】
本実施形態で用いる噴射剤としては、特に制限はなく、例えば  プロパン、ｎ−ブタン、イソブタン、イソペンタン、ジメチルエーテル、ＬＰＧ等が挙げられ、このなかでもＬＰＧ、ジメチルエーテル、イソペンタンを用いることが好ましい。また、これらの噴射剤の内の１種を単独か、又は２種以上を組み合わせて用いることができる。また、環境面および安全面から、炭酸ガスや窒素ガス等を使用することもできる。
【００４６】
本実施形態の液状エアゾール型制汗剤製品は、基本的には制汗成分、リン酸系界面活性剤、極性溶媒、噴射剤を含む液状組成物をエアゾール容器に収容することにより構成されるが、上記配合成分と共に、必要に応じて、本発明の効果を損なわない範囲において、化粧料に用いられる他の成分の１種を単独か、又は２種以上を組み合わせて用いることができる。
例えば、他の成分として、消臭成分、殺菌成分、抗菌剤、清涼化剤、包接化合物、粉末成分、水溶性成分、液体油脂、固体油脂、ロウ、炭化水素油、高級脂肪酸、低級アルコール、高級アルコール、多価アルコール、エステル油、シリコーン油、アニオン界面活性剤、カチオン界面活性剤、両性界面活性剤、非イオン界面活性剤、保湿剤、水溶性高分子、増粘剤、皮膜剤、紫外線吸収剤、赤外線遮断剤、金属イオン封鎖剤、糖、糖アルコール、アミノ酸、有機アミン、高分子エマルジョン、ｐＨ調整剤、皮膚栄養剤、ビタミン、生薬、酸化防止剤、酸化防止助剤、抗炎症剤、香料等が挙げられるが、これらに限定されるものではない。
【００４７】
また、本実施形態の液状エアゾール型制汗剤製品は、リン酸系界面活性剤を含有する液状組成物がエアゾール容器に収容された構成とされる。
本発明で用いられるリン酸系界面活性剤としては、特に限定はされないが、例えば、トリラウリルエーテルリン酸、ジラウリルエーテルリン酸ナトリウム、トリセチルエーテルリン酸、トリステアリルエーテルリン酸、トリオレイルエーテルリン酸、ジ−２−エチルヘキシルリン酸ナトリウム、ポリオキシエチレンポリオキシプロピレンセチルエーテルリン酸、ポリオキシエチレンオレイルエーテルリン酸などが挙げられる。これらの内、ポリオキシエチレンポリオキシプロピレンセチルエーテルリン酸、ポリオキシエチレンオレイルエーテルリン酸を用いることが、エアゾール中での安定性、皮膚に対するマイルド性の点から好ましい。
【００４８】
上記リン酸系界面活性剤の配合量としては、原液中において０．１〜２０質量％の範囲が好ましく、より好ましくは０．５〜１５質量％の範囲である。０．１％未満だと、制汗成分の析出を抑制する等の安定性の面での更なる効果が得られにくく、また、２０％を超えると使用時の感触が低下する虞がある。
【００４９】
以上、説明したように、本発明に係る液状エアゾール型制汗剤製品１０によれば、定量噴射バルブ４と、少なくとも、制汗成分と、リン酸系界面活性剤と、エタノール及び／又は水とを含む液状組成物８が内部に充填される容器本体３とを具備するエアゾール容器２と、該エアゾール容器２に対してステム４１の一端側（導出口４１ａ側）に接続するように取り付けられるエアゾール用押釦１を具備してなり、該エアゾール用押釦１は、導出路１６が、押釦本体１１内の流通路１２に接続される導入口１６ａから、液状組成物８を外部へ噴出させる噴口１６ｂまでの流路長Ｌが０．５〜１５．０ｍｍの範囲とされ、且つ、導出路１６の流路長Ｌと流路径Ｄの比Ｌ／Ｄが０．４〜１５．０の範囲とされているので、目詰まりが生じることなく、適度な噴射量及び噴射範囲が得られ、制汗、防臭効果が高く、実用上充分な使用性が安定して得られる。
【実施例】
【００５０】
以下に、本発明の液状エアゾール型制汗剤製品及びエアゾール用押釦を実証するための実施例について説明するが、本発明は本実施例によって限定されるものではない。
【００５１】
［実施例１〜５、比較例１〜１０］
＜液状エアゾール型制汗剤製品の作製＞
まず、制汗成分が可溶化された液状組成物として、下記表１に示すような成分組成を有する液状組成物を調製した。なお、下記表１中、香料組成物としては、特開２００３−７３２４９号公報（表２３〜３５を参照）に開示された香料Ａ〜Ｅの組成の内、任意に選択したものをそれぞれ使用した。
また、エアゾール用押釦として、導出路の流路長Ｌ、流路径Ｄ、ならびに流路長Ｌと流路径Ｄの比Ｌ／Ｄが、それぞれ下記表２に示すような寸法条件とされたものを作製した。
また、エアゾール容器として、図２に示すような定量噴射バルブが備えられ、１プッシュあたりの噴出量（定量室の容量）が０．１ｃｃとされた、図３に示すような円筒状の容器本体を備えたものを作製した。
そして、前記液状組成物を前記エアゾール容器に充填して、実施例１〜５及び比較例１〜１０の液状エアゾール型制汗剤製品を作製し、以下に説明する方法で評価した。
【００５２】
＜評価方法＞
（噴射状態の評価：正立噴射での使用性）
上記実施例１〜５及び比較例１〜１０の液状エアゾール型制汗剤製品を用い、正立噴射（図２参照）の状態で、腋の下に対して肌から１０ｃｍ離れた距離から、２〜３プッシュして適量噴霧した際の噴霧状態を評価した。なお、使用者（パネル）数は、ｎ＝２０（人）とした。
【００５３】
そして、噴射状態の評価について、以下に示す４段階の基準で判定した。
（１）◎：２０人中、１５〜２０人が適度な霧状で噴霧されたと答えた。
（２）○：２０人中、１０〜１４人が適度な霧状で噴霧されたと答えた。
（３）△：２０人中、５〜９人が適度な霧状で噴霧されたと答えた。
（４）×：２０人中、４人以下が適度な霧状で噴霧されたと答えた。
【００５４】
（目詰まり防止の評価）
上記実施例１〜５及び比較例１〜１０の液状エアゾール型制汗剤製品を、４５℃の雰囲気温度中において、正立状態に対して１８０°の角度で倒立させた状態で１ヶ月保存した。そして、保存後に最初に正立状態で噴射動作を行った際の目詰まりの有無を確認した。
なお、サンプル数は、上記実施例１〜５及び比較例１〜１０の各々において、ｎ＝２０（本）とした。
【００５５】
そして、目詰まり防止の評価について、以下に示す３段階の基準で判定した。
（１）○：２０本中、１本も目詰まりが発生しなかった。
（２）△：２０本中、１〜５本において目詰まりが発生した。
（３）×：２０本中、６本以上において目詰まりが発生した。
【００５６】
（制汗作用：汗を抑える効果感の評価）
上記実施例１〜５及び比較例１〜１０の液状エアゾール型制汗剤製品を用い、使用者（パネル）数を、ｎ＝２０（人）として、制汗作用（汗を抑える効果感）を評価した。
まず、各使用者が、３０℃、８０％ＲＨ環境下において２０分間安静状態を保ち、体を環境に馴化させた。その後、同環境下において、各実施例及び比較例の液状エアゾール型制汗剤製品を、腋の下に対して肌から１０ｃｍ離れた距離から２〜３プッシュして適量噴霧した。
【００５７】
そして、噴射１時間後の汗を抑える効果感の評価について、以下に示す４段階の基準で判定した。
（１）◎：２０人中、１５〜２０人が制汗効果を感じると答えた。
（２）○：２０人中、１０〜１４人が制汗効果を感じると答えた。
（３）△：２０人中、５〜９人が制汗効果を感じると答えた。
（４）×：２０人中、４人以下が制汗効果を感じると答えた。
【００５８】
表１に、各実施例及び比較例で用いた組成物の成分組成を示すとともに、表２に、各実施例及び比較例の液状エアゾール型制汗剤製品（エアゾール用押釦）の寸法条件及び評価結果の一覧を示す。
【００５９】
【表１】
2009000353.tif 000003
【００６０】
【表２】
2009000353.tif 000004
【００６１】
＜評価結果＞
表２に示すように、導出路の流路長Ｌ、流路径Ｄ、ならびに流路長Ｌと流路径Ｄの比Ｌ／Ｄが、本発明で規定した寸法条件とされたエアゾール用押釦を取り付け、定量噴射バルブが備えられてなるエアゾール容器に、制汗成分が可溶化された液状組成物を充填した実施例１〜５の液状エアゾール型制汗剤製品は、噴射状態の評価が何れも◎か○であり、高い評価結果が得られた。また、これらのサンプルは、目詰まり防止の評価が何れも○の評価であるとともに、制汗作用の評価が何れも◎或いは○の評価であり、非常に高い評価結果が得られた。
【００６２】
これに対し、導出路の流路長Ｌ、流路径Ｄ、ならびに流路長Ｌと流路径Ｄの比Ｌ／Ｄの内の少なくとも何れかが、本発明で規定した寸法条件の範囲外となっている比較例１〜１０の液状エアゾール型制汗剤製品は、噴射状態、目詰まり防止、制汗作用の内の何れかの評価が×或いは△の評価となり、本発明の液状エアゾール型制汗剤製品に比べて各特性が劣る結果となった。
【００６３】
［実施例６〜８、比較例１１］
＜液状エアゾール型制汗剤製品の作製＞
エアゾール用押釦として、図４に示すような、押釦本体の噴口に噴口部材が取り付けられたものを使用し、各寸法を下記表３に示す条件とした点を除き、上記実施例１〜５と同様にして液状エアゾール型制汗剤製品のサンプルを作製し、また、同様の方法で評価した。
【００６４】
表３に、実施例６〜８及び比較例１１の液状エアゾール型制汗剤製品（エアゾール用押釦）の寸法条件及び評価結果の一覧を示す。
【００６５】
【表３】
2009000353.tif 000005
【００６６】
＜評価結果＞
表３に示すように、導出路の流路長Ｌ１、噴口部材の噴射流路Ｌ２、総流路長Ｌ３、導出路の流路径Ｄ１、噴射流路の流路径Ｄ２、並びに総流路長Ｌ３と導出路流路径Ｄ１の比Ｌ３／Ｄ１が、本発明で規定した寸法条件とされたエアゾール用押釦を取り付け、定量噴射バルブが備えられてなるエアゾール容器に、制汗成分が可溶化された液状組成物を充填した実施例６〜８の液状エアゾール型制汗剤製品は、噴射状態の評価が何れも◎であり、高い評価結果が得られた。また、これらのサンプルは、目詰まり防止の評価が何れも○の評価であるとともに、制汗作用の評価が何れも◎の評価であり、非常に高い評価結果が得られた。
【００６７】
これに対し、導出路の流路径Ｄ１より噴射流路の流路径Ｄ２が小さい（Ｄ１＞Ｄ２）比較例１１の液状エアゾール型制汗剤製品は、噴射状態、目詰まり防止及び制汗作用の評価が、何れも×或いは△の評価となり、本発明の液状エアゾール型制汗剤製品に比べて各特性が劣る結果となった。
【００６８】
［実施例９〜１１、比較例１２〜１３］
＜液状エアゾール型制汗剤製品の作製＞
制汗成分が可溶化された液状組成物として、下記表４に示すような成分組成を有する液状組成物を合成し、リン酸系界面活性剤が添加されてなる組成物を得た。なお、下記表４中、香料組成物としては、特開２００３−７３２４９号公報（表２３〜３５を参照）に開示された香料Ａ〜Ｅの組成の内、任意に選択したものをそれぞれ使用した。
そして、エアゾール用押釦として、導出路の流路長Ｌ＝１０．０ｍｍ、流路径Ｄ＝１．０ｍｍ、流路長Ｌと流路径Ｄの比Ｌ／Ｄ＝１０．０の各寸法条件とされたものを作製し、上記実施例１〜５及び比較例１〜１０と同様のエアゾール容器に取り付けた。
そして、下記表３に示す液状組成物をエアゾール容器に充填して、実施例９〜１１及び比較例１２〜１３の液状エアゾール型制汗剤製品を作製し、以下に説明する方法で評価した。
【００６９】
＜評価方法＞
上記実施例９〜１１及び比較例１２〜１３の液状エアゾール型制汗剤製品を用い、上記実施例１〜５及び比較例１〜１０と同様の方法で、噴射状態、目詰まり防止、及び制汗作用の評価を行なうとともに、使用感及び安定性について、以下に示す方法で評価した。
【００７０】
（使用感の評価）
上記実施例９〜１１及び比較例１２〜１３の液状エアゾール型制汗剤製品を用い、専門パネラー（ｎ＝２０名）が、各々、正立噴射の状態で、腋の下に対して適量噴霧し、べたつき感の無さについて、以下の基準で官能評価した。
（１）５点：全くべたつき感が無い。
（２）４点：べたつき感がほとんど無い。
（３）３点：多少のべたつき感がある。
（４）２点：べたつき感がある。
（５）１点：大きなべたつき感がある。
【００７１】
そして、上記べたつき感の無さの官能評価点の平均点を算出し、以下に示す４段階の基準で判定した。
（１）◎：１０人の専門パネラー（被験者）の平均点が４．５点以上だった。
（２）○：１０人の専門パネラーの平均点が３．５〜４．４点だった。
（３）△：１０人の専門パネラーの平均点が２．５〜３．４点だった。
（４）×：１０人の専門パネラーの平均点が２．５点未満だった。
【００７２】
（安定性の評価）
下記表３に示す各実施例及び比較例の原液を、噴射剤とともに耐圧エアゾール用透明ガラス瓶に充填して試料を調製した。そして、各試料を４５℃の温度で１ヶ月間保存した後、目視観察を行い、以下に示す３段階の基準で判定した。
（１）○：分離又は析出等が認められなかった。
（２）△：わずかに外観が濁る等の変化が認められた。
（３）×：明らかな分離もしくは析出が認められた。
【００７３】
表４に、実施例９〜１１及び比較例１２〜１３の液状エアゾール型制汗剤製品で用いた組成物の成分組成を示すとともに、各実施例及び比較例の評価結果の一覧を示す。
【００７４】
【表４】
2009000353.tif 000006
【００７５】
＜評価結果＞
表４に示すように、導出路の流路長Ｌ、流路径Ｄならびに流路長Ｌと流路径Ｄの比Ｌ／Ｄが上記寸法条件とされたエアゾール用押釦を取り付け、定量噴射バルブが備えられてなるエアゾール容器に、制汗成分が可溶化され且つリン酸系界面活性剤が適量添加された液状組成物を充填した実施例９〜１１の液状エアゾール型制汗剤製品は、噴射状態、目詰まり防止及び制汗作用の評価が、何れも◎或いは○の評価であり、非常に高い評価結果が得られた。
【００７６】
これに対し、制汗成分が含まれていない比較例１２では、制汗作用の評価が×となり、また、リン酸系界面活性剤が含まれていない比較例１３では、目詰まり防止、制汗作用、使用感、安定性の評価が全て×或いは△となり、実施例９〜１１の液状エアゾール型制汗剤製品に比べて各特性が劣る結果となった。
【００７７】
［実施例１２〜１５］
制汗成分が可溶化された液状組成物として、下記表５に示すような成分組成を有する液状組成物を調製した。なお、下記表５中、香料組成物としては、特開２００３−７３２４９号公報（表２３〜３５を参照）に開示された香料Ａ〜Ｅの組成の内、任意に選択したものをそれぞれ使用した。
そして、エアゾール用押釦として、導出路の流路長Ｌ、流路径Ｄならびに流路長Ｌと流路径Ｄの比Ｌ／Ｄが、上記実施例９〜１１と同様の寸法条件とされたものをそれぞれ作製し、同様のエアゾール容器に取り付けた。
【００７８】
そして、下記表５に示す組成の液状組成物を、上記実施例９〜１１と同様のエアゾール用押釦が取り付けられたエアゾール容器にそれぞれ充填して実施例１２〜１５の液状エアゾール型制汗剤製品を作製し、実施例１〜１１及び比較例１〜１３と同様の方法で、噴射状態、目詰まり防止及び制汗作用の評価を行なうとともに  実施例９〜１１及び比較例１２〜１３と同様の方法で、使用感及び安定性について評価したところ、何れも◎或いは○の評価であり、非常に高い評価結果が得られた。
【００７９】
【表５】
2009000353.tif 000007
【００８０】
以上の結果により、本発明のエアゾール用押釦が、目詰まりが生じることなく適度な噴射量及び噴射範囲が得られ、また、本発明の液状エアゾール型制汗剤製品が、制汗、防臭効果が高く、実用上充分な使用性が安定して得られることが明らかとなった。
【図面の簡単な説明】
【００８１】
【図１】本発明に係るエアゾール用押釦の一例を説明する断面図である。
【図２】本発明に係るエアゾール用押釦の一例を説明する概略図であり、定量噴射バルブのステムにエアゾール用押釦を取り付けた状態を示す断面図である。
【図３】本発明に係る液状エアゾール型制汗剤製品の一例を説明する概略図であり、正立状態における噴射形態を示す部分破断図である。
【図４】本発明に係るエアゾール用押釦の他例を説明する断面図である。
【符号の説明】
【００８２】
１、５…エアゾール用押釦、１１、５１…押釦本体、１２、５２…流通路、１６、５６…導出路、１６ａ、５６ａ…導入口、１６ｂ、５６ｂ…噴口、２…エアゾール容器、３…容器本体、４…定量噴射バルブ、４１…ステム、４１ａ…導出口、５３…噴口部材、５３ｂ…噴射流路、１０…液状エアゾール型制汗剤製品、８…液状組成物、Ｌ、Ｌ１、Ｌ２…流路長、Ｌ３…総流路長、Ｄ、Ｄ１、Ｄ２…流路径
【図１】
2009000353.tif 000008
【図２】
2009000353.tif 000009
【図３】
2009000353.tif 000010
【図４】
2009000353.tif 000011